(57)【要約】【課題】リストアの重要度が高い電子データをリストアする場合に、このデータを必ずリストアすることが出来る電子装置及び電子データバックアップ方法を提供する【解決手段】電子装置が、電子データを記憶する第１の記憶部と、前記第１記憶部が記憶する電子データのバックアップ先となる第２の記憶部と、電子データにリストア重要度を設定し、前記リストア重要度が最も高い電子データ（第１の電子データ）を前記第２の記憶部にバックアップする時に、前記第１の電子データのリストア領域を前記第１の記憶部に確保する制御部とを具備するという手段を採用する。【選択図】図１
2009181199.tif 000002
【特許請求の範囲】
【請求項１】
電子データを記憶する第１の記憶部と、
前記第１記憶部が記憶する電子データのバックアップ先となる第２の記憶部と、
電子データにリストア重要度を設定し、前記リストア重要度が最も高い電子データ（第１の電子データ）を前記第２の記憶部にバックアップする時に、前記第１の電子データのリストア領域を前記第１の記憶部に確保する制御部とを具備することを特徴とする電子装置。
【請求項２】
前記リストア重要度は、３段階に設定され、
前記制御部は、前記リストア重要度が２番目の電子データ（第２の電子データ）をバックアップする時に、前記第２の電子データのリストア領域を前記第１の記憶部に確保せず、そして前記第２の電子データをリストアする時に、前記第２の電子データをリストア可能な空き領域域を前記第１の記憶部に確保できない場合には、前記第２の電子データをリストア可能な空き領域を前記第１の記憶部に確保でき次第、当該空き領域に前記第２の電子データをリストアし、また前記リストア重要度が３番目の電子データ（第３の電子データ）をバックアップする時に、前記第３の電子データのリストア領域を前記第１の記憶部に確保せず、そして前記第３の電子データをリストアする時に、前記第３の電子データをリストア可能な空き領域域を前記第１の記憶部に確保できない場合には、前記第３の電子データを前記第１の記憶部にリストアを止めることを特徴とする請求項１記載の電子装置。
【請求項３】
電子データを記憶する第１の記憶ステップと、前記第１のステップが記憶する電子データのバックアップ先となる第２の記憶ステップと、
電子データにリストア重要度を設定し、前記リストア重要度が最も高い電子データ（第１の電子データ）を前記第２の記憶ステップにバックアップする時に、前記第１の電子データのリストア領域を前記第１の記憶ステップに確保する制御ステップとを具備することを特徴とする電子データバックアップ方法。
【発明の詳細な説明】
【技術分野】
【０００１】
本発明は、電子装置及び電子データバックアップ方法に関する。
【背景技術】
【０００２】
周知のように、電子情報を扱う電子装置で行われるバックアップ処理は、破損した電子メール等の各種電子データを復元する為に、バックアップメモリ領域に電子データを予め保存する処理である。例えば、下記特許文献１には、メールサーバが保存する電子メール及び電子メールの添付ファイルを全てバックアップサーバにフルバックアップする方法と、フルバックアップ後にメールサーバに保存された電子メールのみをバックアップサーバに保存する部分バックアップする方法が開示されている。また、下記特許文献２には、受信メールのタイトル／本文に特定の言葉が含まれる場合に、内部メモリのデータをバックアップまたは受信メールの添付データによってリストアする通信装置が開示されている。そして、リストア処理は、上記バックアップ処理によって保存した電子データを元のメモリ領域に戻すことによって、電子データを復元する。
【特許文献１】特表２００７−５１３４０４号公報
【特許文献２】特開２００７−７９８２７号公報
【発明の開示】
【発明が解決しようとする課題】
【０００３】
ところで、上記従来技術では、バックアップ処理によって保存した電子データをリストアする時において、リストア先となるメモリ領域に他のデータが記憶されてしまっている場合に、リストア先となるメモリ領域に電子データをリストアする為の空き領域を確保できない為、電子データをリストア出来ないという問題が発生する。
【０００４】
本発明は、上述した事情を鑑みたものであり、リストアの重要度が高い電子データをリストアする場合に、このデータを必ずリストアすることが出来る電子装置及び電子データバックアップ方法を提供することを目的とする。
【課題を解決するための手段】
【０００５】
上記目的を達成するために、本発明では、電子装置に係る第１の解決手段として、電子データを記憶する第１の記憶部と、前記第１記憶部が記憶する電子データのバックアップ先となる第２の記憶部と、電子データにリストア重要度を設定し、前記リストア重要度が最も高い電子データ（第１の電子データ）を前記第２の記憶部にバックアップする時に、前記第１の電子データのリストア領域を前記第１の記憶部に確保する制御部とを具備するという手段を採用する。
【０００６】
本発明では、電子装置に係る第２の解決手段として、上記第１の解決手段において、前記リストア重要度は、３段階に設定され、前記制御部は、前記リストア重要度が２番目の電子データ（第２の電子データ）をバックアップする時に、前記第２の電子データのリストア領域を前記第１の記憶部に確保せず、そして前記第２の電子データをリストアする時に、前記第２の電子データをリストア可能な空き領域域を前記第１の記憶部に確保できない場合には、前記第２の電子データをリストア可能な空き領域を前記第１の記憶部に確保でき次第、当該空き領域に前記第２の電子データをリストアし、また前記リストア重要度が３番目の電子データ（第３の電子データ）をバックアップする時に、前記第３の電子データのリストア領域を前記第１の記憶部に確保せず、そして前記第３の電子データをリストアする時に、前記第３の電子データをリストア可能な空き領域域を前記第１の記憶部に確保できない場合には、前記第３の電子データを前記第１の記憶部にリストアを止めるという手段を採用する。
【０００７】
本発明では、電子データバックアップ方法に係る第１の解決手段として、電子データを記憶する第１の記憶ステップと、前記第１のステップが記憶する電子データのバックアップ先となる第２の記憶ステップと、電子データにリストア重要度を設定し、前記リストア重要度が最も高い電子データ（第１の電子データ）を前記第２の記憶ステップにバックアップする時に、前記第１の電子データのリストア領域を前記第１の記憶ステップに確保する制御ステップとを具備することを特徴とするという手段を採用する。
【発明の効果】
【０００８】
本発明によれば、制御部が電子データにリストア重要度を設定し、リストア重要度が最も高い電子データを第２の記憶部にバックアップする時に、第１の電子データのリストア先となる領域を第１の記憶部に確保する為、リストアの重要度が高いバックアップデータを確実にリストアすることが出来る。
【発明を実施するための最良の形態】
【０００９】
以下、図面を参照して、本発明の一実施形態について説明する。本実施形態は、電子装置の１つであるＰＨＳ（Personal Handy-phone System）端末に関する。
図１は本実施形態に係るＰＨＳ端末Ａの機能ブロック図である。ＰＨＳ端末Ａの機能構成を、図１を参照して説明する。ＰＨＳ端末Ａは、図１に示すように、通信部１、操作部２、表示部３、ＳＤ（Secure Digital）カードインタフェース４、ＳＤカード５及び制御部６から構成される。
【００１０】
通信部１は、制御部６による指示の下、ＰＨＳ基地局と音声信号、データ信号及び制御信号等の各種信号を送受信する。
操作部２は、テンキー、方向キー、及び各種機能キー等の各種操作キーから構成されており、これらの操作キーに対するユーザの操作指示を受け付けて制御部６に出力する。
表示部３は、例えば液晶ディスプレイまたは有機ＥＬ（Electronic Luminescent）ディスプレイ等であり、制御部６から入力される画像信号に基づいて画像や文字からなる各種画面を表示する。
【００１１】
ＳＤカードインタフェース４は、ＳＤカード５をＰＨＳ端末Ａに保持するためのＳＤカードスロット、ＳＤカード５に対する電子データの読み出し及び書き込みが可能なように制御部６と電気的に接続するＳＤカード接続端子から構成されており、制御部６の制御の下、各種データの入出力をＳＤカード５との間で行う。
ＳＤカード５は、着脱可能な不揮発記憶媒体であり、制御部６の制御の下、ＳＤカードインタフェース４を介して、各種電子データを記憶する。
【００１２】
制御部６は、ＣＰＵ（Central Processing Unit）、ＲＯＭ（Read Only Memory）及びＲＡＭ（Random Access Memory）から構成される内部メモリ並びに上記通信部１、操作部２、表示部３及びＳＤカードインタフェース４と信号の入出力をそれぞれ行うインタフェース回路等から構成されており、上記ＲＯＭに記憶された制御プログラム、通信部１が受信する各種信号、操作部２が受け付ける操作指示及びＳＤカードインタフェース４を介してＳＤカード５から入力される各種データに基づいてＰＨＳ端末Ａの全体動作を制御する。
【００１３】
なお、上記ＲＯＭに記憶されている制御プログラムは、電子データバックアップ／リストアプログラムを備えており、制御部６はこの電子データバックアップ／リストアプログラムに基づいて電子データのバックアップ及びリストアを実行する。なお、制御部６が実行するバックアップ処理及びリストア処理については、詳細を後述する。
【００１４】
次に、上記構成のＰＨＳ端末Ａのバックアップ処理について、図２を参照して詳しく説明する。図２は、本実施形態に係るＰＨＳ端末Ａのバックアップ処理を示すフローチャートである。
まず、ＳＤカード５は、電子メールを記憶した状態にある。
制御部６は、操作部２がＳＤカード５が記憶する電子メールのバックアップ指示を受け付けたか否か判定し（ステップＳ１）、ステップＳ１において『ＮＯ』と判定した場合には、すなわち操作部２が電子メールのバックアップ指示を受け付けていない場合には、操作部２がバックアップ指示を受け付けるまで待機する。
【００１５】
制御部６は、ステップＳ１において『ＹＥＳ』と判定した場合には、すなわち操作部２が電子メールのバックアップ指示を受け付けたと判定した場合には、電子メールに対するリストア重要度の設定をユーザに促す画面を表示部３に表示させ、操作部２が電子メールに対するリストア重要度の設定指示を受け付けたか否か判定する（ステップＳ２）。
上記リストア重要度は、リストアにおける電子メールの重要度を示すものである。電子メールには、リストア重要度として『高』、『中』及び『低』を設定される。この重要度は、例えば電子メールの送信者が送信時に設定する「メールの重要度」に基づいて決められる。そして、リストア時に、電子メールに設定されたリストア重要度に応じたリストア処理が実行される。なお、電子メールのリストア処理は、詳細を後述する。
【００１６】
制御部６は、ステップＳ２において『ＮＯ』と判定した場合には、すなわち操作部２が電子メールに対するリストア重要度の設定指示を受け付けていないと判定した場合には、操作部２がリストア重要度の設定指示を受け付けるまで待機し、ステップＳ２において『ＹＥＳ』と判定した場合には、すなわち操作部２が電子メールに対するリストア重要度の設定指示を受け付けたと判定した場合には、リストア重要度の設定指示に基づいて電子メールにリストア重要度を設定する（ステップＳ３）。
【００１７】
制御部６は、電子メールに設定されたリストア重要度を判定し（ステップＳ４）、ステップＳ４においてリストア重要度が『高』であると判定した場合には、ＳＤカード５に電子メールをバックアップすることが可能な空き領域が存在するか否か判定し（ステップＳ５）、ステップＳ５において『ＮＯ』と判定した場合には、すなわち電子メールをバックアップすることが可能な空き領域がＳＤカード５に存在しないと判定した場合には、電子メールのバックアップに失敗した旨のメッセージを表示部３に表示させる（ステップＳ６）。
【００１８】
制御部６は、ステップＳ５において『ＹＥＳ』と判定した場合には、すなわち電子メールをバックアップすることが可能な空き領域がＳＤカード５に存在すると判定した場合には、電子メールのリストア先となる領域を確保する為に電子メールと同じサイズのリストア用領域確保ファイルをＳＤカード５の空き領域に作成し（ステップＳ７）、電子メールを圧縮したバックアップデータをＳＤカード５の空き領域に記憶させ（ステップＳ８）、バックアップされる電子メールのリストア重要度及びデータサイズ等を含むデータ詳細情報をＳＤカード５に記憶させる（ステップＳ９）。
【００１９】
制御部６が、ステップＳ４においてリストア重要度が『中』または『低』であると判定した場合には、上記ステップＳ５とＳＤカード５に電子メールをバックアップすることが可能な空き領域が存在するか否か判定し（ステップＳ１０）、ステップＳ５において『ＮＯ』と判定した場合には、すなわち電子メールをバックアップすることが可能な空き領域がＳＤカード５に存在しないと判定した場合には、電子メールのバックアップに失敗した旨のメッセージを表示部３に表示させる（ステップ１１）。
【００２０】
制御部６は、ステップＳ５において『ＹＥＳ』と判定した場合には、すなわち電子メールをバックアップすることが可能な空き領域がＳＤカード５に存在すると判定した場合には、上記ステップＳ８において電子メールを圧縮したバックアップデータをＳＤカード５の空き領域に記憶させ、上記ステップＳ９において電子メールのリストア重要度及びデータサイズ等のデータ詳細情報をＳＤカード５に記憶させる
【００２１】
次に、上記構成のＰＨＳ端末Ａのリストア処理について、図３を参照して詳しく説明する。図３は、本実施形態に係るＰＨＳ端末Ａのリストア処理を示すフローチャートである。
まず、ＳＤカード５は、上記バックアップ処理によって電子メールのバックアップデータを記憶している。
制御部６は、操作部２がＳＤカード５にバックアップされた電子メールのリストア指示を受け付けたか否か判定し（ステップＳ２１）、ステップＳ２１において『ＮＯ』と判定した場合には、すなわち操作部２がバックアップされた電子メールのリストア指示を受け付けていない場合には、操作部２がリストア指示を受け付けるまで待機する。
【００２２】
制御部６は、ステップＳ２１において『ＹＥＳ』と判定した場合には、すなわち操作部２がバックアップされた電子メールのリストア指示を受け付けたと判定した場合には、上記ステップＳ９においてＳＤカード５が記憶したデータ詳細情報に基づいて電子メールに設定されたリストア重要度を判定し（ステップＳ２２）、ステップＳ２２において電子メールのリストア重要度が『高』であると判定した場合には、ＳＤカード５が記憶するリストア用領域確保ファイルを削除することによって空き領域を生成し（ステップＳ２３）、このＳＤカード５の空き領域にバックアップデータの解凍によって生成した電子メールをリストアする（ステップＳ２４）。
【００２３】
制御部６は、ステップＳ２１において『中』と判定した場合には、データ詳細情報に含まれる電子メールのデータサイズとＳＤカード５の空き領域サイズの比較によってＳＤカード５に電子メールをリストアすることが可能な空き領域が存在するか否か判定し（ステップＳ２５）、ステップＳ２５において『ＹＥＳ』と判定した場合には、 電子メールをリストアすることが可能な空き領域がＳＤカード５に存在すると判定した場合には、ＳＤカード５の空き領域にバックアップデータの解凍によって生成した電子メールをリストアする（ステップＳ２６）。
【００２４】
制御部６は、ステップＳ２５において『ＮＯ』と判定した場合には、 電子メールをリストアすることが可能な空き領域がＳＤカード５に存在しないと判定した場合には、ＳＤカード５に電子メールをリストアすることが可能な空き領域が確保でき次第電子メールをリストアする旨のメッセージを表示部３に表示させ（ステップＳ２７）、所定の間隔でＳＤカード５の空き領域をチェックし（ステップＳ２８）、ユーザの指示によるデータの削除によってＳＤカード５に電子メールをリストアすることが可能な空き領域が生成されたか否か判定する（ステップＳ２９）。
【００２５】
制御部６は、ステップＳ２９において『ＮＯ』と判定した場合には、すなわちＳＤカード５に電子メールをリストア可能な空き領域が生成されていないと判定した場合には、ステップＳ２８の処理に戻り、ステップＳ２８において『ＹＥＳ』と判定した場合には、すなわちＳＤカード５に電子メールをリストア可能な空き領域が生成されていると判定した場合には、上記ステップＳ２６においてＳＤカード５の空き領域にバックアップデータの解凍によって生成した電子メールをリストアする。
【００２６】
制御部６は、ステップＳ２２において『低』と判定した場合には、上記ステップＳ２５と同様にデータ詳細情報に含まれる電子メールのデータサイズとＳＤカード５の空き領域サイズの比較によってＳＤカード５に電子メールをリストアすることが可能な空き領域が存在するか否か判定し（ステップＳ３０）、ステップＳ３０において『ＹＥＳ』と判定した場合には、 電子メールをリストアすることが可能な空き領域がＳＤカード５に存在すると判定した場合には、ＳＤカード５の空き領域にバックアップデータの解凍によって生成した電子メールをリストアする（ステップＳ３１）。制御部６は、ステップＳ２８において『ＮＯ』と判定した場合には、 電子メールをリストアすることが可能な空き領域がＳＤカード５に存在しないと判定した場合には、電子メールのリストアに失敗した旨のメッセージを表示部３に表示させる（ステップＳ３２）。
【００２７】
以上説明したように、ＰＨＳ端末Ａにおいて、制御部６が、リストア重要度の『高』の電子メールをＳＤカード５の空き領域にバックアップする時に、電子メールと同じサイズのリストア用領域確保ファイルをＳＤカード５の空き領域に作成し、このリストア重要度の『高』の電子メールをリストアする時には、リストア用領域確保ファイルを削除することによって電子メールをリストアする為の空き領域を確保する為、リストアの重要度が最も高い電子メールを確実にリストアすることが出来る。
【００２８】
また、電子メールにリストア重要度として『中』を設定した電子メールをリストアする時に、ＳＤカード５にリストアの可能な空き領域がない場合でも、制御部６がＳＤカード５の空き領域をチェックし、リストアの可能な空き領域が確保でき次第電子メールをリストアすることによって、ユーザが電子メールをリストアする為に空き領域をチェックする手間を省くことが出来る。
【００２９】
以上、本発明の一実施形態について説明したが、本発明は上記実施形態に限定されることなく、例えば以下のような変形が考えられる。
（１）上記実施形態では、ＳＤカード５が記憶する電子メールをＳＤカード５の空き領域にバックアップし、このＳＤカード５にバックアップした電子メールをＳＤカード５の空き領域にリストアしたが、本発明はこれに限定されない。
例えば、ＰＨＳ端末Ａが有する内部メモリに記憶された電子データを、ＳＤカード等の外部メモリにバックアップし、この外部メモリにバックアップした電子データを内部メモリにリストアするようにしてもよい。このバックアップ先となるメモリ及びリストア先となるメモリは、外部メモリ及び内部メモリのどちらでもよい。
【図面の簡単な説明】
【００３０】
【図１】本発明の一実施形態に係る実施形態に係るＰＨＳ端末Ａの機能構成を示す機能ブロック図である。
【図２】本発明の一実施形態に係るＰＨＳ端末Ａのバックアップ処理を示すフローチャートである。
【図３】本発明の一実施形態に係るＰＨＳ端末Ａのリストア処理を示すフローチャートである。
【符号の説明】
【００３１】
Ａ…ＰＨＳ端末、１…通信部、２…操作部、３…表示部、４…ＳＤカードインタフェース、５…ＳＤカード、６…制御部
【図１】
2009181199.tif 000003
【図２】
2009181199.tif 000004
【図３】
2009181199.tif 000005